(57)【要約】【課題】作業床の床面と幅木の隙間を防護する枠組足場を提供する。【解決手段】枠組足場１０は、作業床２と長手方向に連設される鋼製の幅木３を備える。作業床２は、帯状に延びる鋼製の長尺足場板２ａが長手方向に連設され、略水平状態に配置される。一対の対向する幅木３・３は、作業床２の長辺側の両縁部から略垂直方向に立設して、作業床２の両翼を防護する。長尺足場板２ａが小型の金属体を吸着が可能な磁性を有するので、小型の金属体を吸着して、作業床２と幅木３の間隙から小型の金属体が容易に落下しないように防護できる。枠組足場１０は、幅木３が小型の金属体を吸着できるように磁性を有してもよい。【選択図】図１
2011184979.tif 000002
【特許請求の範囲】
【請求項１】
帯状に延びる鋼製の長尺足場板が長手方向に連設されて、略水平状態に配置される作業床と、
この作業床の長辺側の両縁部から略垂直方向に立設して、当該作業床の両翼を防護する一対の対向する幅木であって、長手方向に連設される鋼製の幅木と、を備え、
前記長尺足場板は、小型の金属体を吸着が可能な磁性を有する枠組足場。
【請求項２】
帯状に延びる鋼製の長尺足場板が長手方向に連設されると共に、複数の前記長尺足場板が幅方向に互いに近接して、略水平状態に配置される作業床と、
この作業床の長辺側の両縁部から略垂直方向に立設して、当該作業床の両翼を防護する一対の対向する幅木であって、長手方向に連設される鋼製の幅木と、を備え、
複数の前記長尺足場板の内、前記作業床の両翼に配置される一対の前記長尺足場板は、小型の金属体を吸着が可能な磁性を有する枠組足場。
【請求項３】
前記幅木は、小型の金属体を吸着が可能な磁性を有する請求項１又は２記載の枠組足場。
【請求項４】
前記長尺足場板は、その外面に磁性粉を含有するゴムが塗布された磁性長尺足場板を含み、
前記幅木は、その外面に磁性粉が塗布又は蒸着された磁性幅木を含む請求項１から３のいずれかに記載の枠組足場。
【発明の詳細な説明】
【技術分野】
【０００１】
本発明は、枠組足場に関する。特に、建物の外壁面に沿って建設現場に仮設され、複数の鋼管及び足場部材を組み合わせて階層的に構成する枠組足場の構造に関する。
【背景技術】
【０００２】
例えば、建設現場に仮設される枠組足場は、対向させた建枠の両側垂直面を「交差筋交い」で結合して枠組を補強すると共に、建枠を上方へ必要な高さだけ順次継ぎ足すことによって構築されている。
【０００３】
このような枠組足場では、作業用の部材を落下させると、階下の作業者や一般の通行人に対して危険であるので、部材を落下させても足場の外に落ちないようにするため、建物と反対側の外面に養生用ネット（又は、メッシュシート）を張設している。そして、養生用ネットは、枠組足場を組み上げた後に張設されていた。又、養生用ネットは、一定の高さの枠組足場を組み上げるごとに、張設されていた。
【０００４】
ところで、枠組足場を組み上げてから養生用ネットを張る方法は、養生用ネットを張るまでの間、部材の落下による事故が起きないように特に注意が必要であり、養生用ネットを張るまでは落下物の発生を防止することが困難である、という不具合があった。
【０００５】
このような不具合を解消するため、交差筋交いに養生用ネットを一体化し、枠組足場の組み立てと同時に養生用ネットを張設することができ、枠組足場における部材の落下発生を防止できるネット付き交差筋交いが開示されている（例えば、特許文献１参照）。
【先行技術文献】
【特許文献】
【０００６】
【特許文献１】特開平１１−８１６９２号公報
【発明の概要】
【発明が解決しようとする課題】
【０００７】
近年では、足場などから作業員が墜落又は転落することを未然に防止する対策が強化されている。そして、足場の種類に対応した墜落防止措置が労働安全衛生規則で義務付けられている。例えば、枠組足場では、交差筋交いの下部の隙間からの墜落を防止するため、交差筋交いに加え、「下さん」や「幅木」の設置が義務付けられている。又、「手すり枠」の設置も義務付けられている。
【０００８】
この規則により、枠組足場では、対向する一対の幅木が立設するように垂直方向に延びて、略水平面に敷設された作業床の長手方向の両縁に一対の幅木を配置している。これにより、交差筋交いの下部の隙間からの墜落防止を強化することができる。
【０００９】
一般に、このような幅木は、作業床として敷設された帯状に延びる鋼製の長尺足場板が使用（流用）されている。そして、複数の幅木が長手方向に連設されて、所定の長さを有する、一対の幅木に防護される作業床を有する枠組足場を構成していた。
【００１０】
しかしながら、このような一対の幅木に防護される作業床は、例えば、幅木の反りなどで、作業床の床面と幅木の間に間隙を生じることが多々あった。したがって、このような枠組足場は、作業員の墜落を防止することには有効であるが、細幅物の番線や小型の金属体が前記の間隙から落下することを防止することは困難であった。
【００１１】
特許文献１による枠組足場も同様である。特許文献１による枠組足場は、部材の落下発生を張設されたネットで抑制することは可能であるが、小型の金属体などが前記の間隙から落下することを防止することは困難である。
【００１２】
作業床の床面と幅木の間隙から小型の金属体などが落下しないように、枠組足場を構成できれば、作業現場での安全が確保され、又、小型の金属体を紛失しなくなるので、作業効率が改善される。そして、以上のことが本発明の課題といってよい。
【００１３】
本発明は、このような課題に鑑みてなされたものであり、作業床の床面と幅木の間隙から小型の金属体が落下しないように、防護対策が施された枠組足場用を提供することを目的とする。
【課題を解決するための手段】
【００１４】
本発明者は、磁性を有する鋼製の長尺足場板で少なくとも枠組足場を構成することにより、この課題が解決可能なことを見出し、これに基づいて、以下のような新たな枠組足場用を発明するに至った。
【００１５】
（１）本発明による枠組足場は、帯状に延びる鋼製の長尺足場板が長手方向に連設されて、略水平状態に配置される作業床と、この作業床の長辺側の両縁部から略垂直方向に立設して、当該作業床の両翼を防護する一対の対向する幅木であって、長手方向に連設される鋼製の幅木と、を備え、前記長尺足場板は、小型の金属体を吸着が可能な磁性を有する。
【００１６】
（２）本発明による枠組足場は、帯状に延びる鋼製の長尺足場板が長手方向に連設されると共に、複数の前記長尺足場板が幅方向に互いに近接して、略水平状態に配置される作業床と、この作業床の長辺側の両縁部から略垂直方向に立設して、当該作業床の両翼を防護する一対の対向する幅木であって、長手方向に連設される鋼製の幅木と、を備え、複数の前記長尺足場板の内、前記作業床の両翼に配置される一対の前記長尺足場板は、小型の金属体を吸着が可能な磁性を有する。
【００１７】
（３）前記幅木は、小型の金属体を吸着が可能な磁性を有してもよい。
【００１８】
（４）前記長尺足場板は、その外面に磁性粉を含有するゴムが塗布された磁性長尺足場板を含んでもよく、前記幅木は、その外面に磁性粉を含有するゴムが塗布された磁性幅木を含んでもよい。
【発明の効果】
【００１９】
本発明による枠組足場は、小型の金属体を吸着が可能な磁性を有する長尺足場板で作業床の床面を構成しているので、作業床と幅木の間隙から小物の金属体が容易に落下しないよう防護できる。本発明による枠組足場は、小型の金属体を吸着が可能な磁性を有する幅木を備えてもよい。
【図面の簡単な説明】
【００２０】
【図１】本発明の第１実施形態による枠組足場の構成を示す斜視図である。
【図２】本発明の第２実施形態による枠組足場の構成を示す斜視図であり、三つの長尺足場板が幅方向に互いに近接して配置された作業床を内部から観ている。
【図３】第２実施形態による枠組足場の構成を示す斜視図であり、三つの長尺足場板が幅方向に互いに近接して配置された作業床を外部から観ている。
【発明を実施するための形態】
【００２１】
以下、図面を参照して本発明を実施するための形態を説明する。
［第１実施形態］
（枠組足場の構成）
最初に、本発明の第１実施形態による枠組足場の構成を説明する。図１は、本発明の第１実施形態による枠組足場の構成を示す斜視図である。
【００２２】
図１を参照すると、第１実施形態による枠組足場１０は、複数の鋼管及び足場部材を組み合わせて階層的に構成している。枠組足場１０は、一対の鋼管を門型に溶接した複数の建枠１ａを備えている。実施形態による枠組足場１０は、建枠１ａを三段に積層している。最下段の建枠１ａには、ジャッキベース１１ａを設けている。最上段の建枠１ａには、手すり１２ａを設けている。
【００２３】
又、図１を参照すると、建物（図示せず）の外壁面に沿って、複数の建枠１ａを仮設している。実施形態による枠組足場１０は、六列の建枠１ａを仮設している。そして、列方向に対向する一対の建枠１ａ・１ａが交差筋交い１ｂで結合されて、枠組足場１０の枠組が補強されている。
【００２４】
図１を参照すると、枠組足場１０は、略水平状態に作業床２を配置している。実施形態による枠組足場１０は、作業床２を三段に階層している。実態として、作業床２は、列方向に対向する一対の建枠１ａ・１ａに敷設される、帯状に延びる鋼製の長尺足場板２ａで構成されている。
【００２５】
図１を参照すると、作業床２には、幅の広い定尺の長尺足場板２ａが配置（敷設）され、作業床２は、所定幅の通路を確保している。更に、長尺足場板２ａは、長手方向にも連設されている。そして、作業床２は、所定の奥行きが確保されている。例えば、作業員は、作業床２を往来することもできる。
【００２６】
図１を参照すると、作業床２の長辺側の両縁部から略垂直方向に、一対の鋼製の幅木３・３を立設している。対向するこれらの幅木３・３は、作業床２の両翼を防護している。又、一対の幅木３・３は、それらの長手方向にも連設されている。これにより、一対の幅木３・３は、交差筋交い１ｂの下部の隙間からの墜落を防止できる。なお、図１では、一方の幅木３の図示を省略している。
【００２７】
図１又は図２を参照すると、幅木３の上方には、幅木３と略平行に「下さん４」を配置している。又、作業床２には、階上又は階下に作業員が移動可能な一組の階段枠５・６を設けている。
【００２８】
（枠組足場の作用）
次に、第１実施形態による枠組足場の作用及び効果を説明する。図１を参照すると、実施形態による長尺足場板２ａは、小型の金属体を吸着できるように磁性を有している。したがって、作業床２の床面に不用意に落下した小型の金属体を長尺足場板２ａが吸着するので、作業床２と幅木３の間隙から小型の金属体が容易に落下しないように防護できる。
【００２９】
第１実施形態による幅木３は、小型の金属体を吸着できるように、磁性を有してもよく、作業床２の床面に落下した小型の金属体を長尺足場板２ａ又は幅木３のいずれか一方、又は双方が吸着するので、作業床２と幅木３の間隙から小型の金属体が容易に落下しないように防護できる。
【００３０】
例えば、長尺足場板２ａは、その外面に磁性粉を含有するゴムが塗布された磁性長尺足場板を含むことができる。そして、作業床２を滑り難い床面とすることができる。又、幅木３は、その外面に磁性粉が塗布又は蒸着された磁性幅木を含むことができる。
【００３１】
［第２実施形態］
（枠組足場の構成）
次に、本発明の第２実施形態による枠組足場の構成を説明する。なお、第１実施形態で用いた符号と同じ符号の構成品は、その作用を同一とするので以下では説明を割愛する場合がある。
【００３２】
図２は、本発明の第２実施形態による枠組足場の構成を示す斜視図であり、三つの長尺足場板が幅方向に互いに近接して配置された作業床を内部から観ている。図３は、第２実施形態による枠組足場の構成を示す斜視図であり、三つの長尺足場板が幅方向に互いに近接して配置された作業床を外部から観ている。
【００３３】
図２又は図３を参照すると、第２実施形態による枠組足場２０は、略水平状態に作業床２を配置している。作業床２は、列方向に対向する一対の建枠１ａ・１ａに敷設される、帯状に延びる三つの鋼製の長尺足場板２１ａ・２２ａ・２３ａで構成されている。
【００３４】
図２又は図３を参照すると、作業床２には、幅方向に互いに近接する三つの長尺足場板２１ａ・２２ａ・２３ａが配置（敷設）され、作業床２は、所定幅の通路を確保している。更に、これらの長尺足場板２１ａ・２２ａ・２３ａは、長手方向にも連設されている。そして、作業床２は、所定の奥行きが確保されている。例えば、作業員は、作業床２を往来することもできる。
【００３５】
図２又は図３を参照すると、作業床２の長辺側の両縁部から略垂直方向に、一対の鋼製の幅木３・３を立設している。対向するこれらの幅木３・３は、作業床２の両翼を防護している。又、一対の幅木３・３は、それらの長手方向にも連設されている。これにより、一対の幅木３・３は、交差筋交い１ｂの下部の隙間からの墜落を防止できる。
【００３６】
（枠組足場の作用）
次に、第２実施形態による枠組足場の作用及び効果を説明する。図２又は図３を参照すると、作業床２の両翼に配置される一対の長尺足場板２１ａ・２３ａは、小型の金属体を吸着できるように磁性を有している。したがって、作業床２の床面に不用意に落下した小型の金属体を一対の長尺足場板２１ａ・２３ａが吸着するので、作業床２と幅木３の間隙から小型の金属体が容易に落下しないように防護できる。
【００３７】
幅木３は、小型の金属体を吸着できるように、磁性を有してもよく、作業床２の床面に落下した小型の金属体を一対の長尺足場板２１ａ・２３ａ又は幅木３のいずれか一方、又は双方が吸着するので、作業床２と幅木３の間隙から小型の金属体が容易に落下しないように防護できる。
【００３８】
例えば、一対の長尺足場板２１ａ・２３ａは、その外面に磁性粉を含有するゴムが塗布された磁性長尺足場板を含むことができる。そして、作業床２を滑り難い床面とすることができる。又、幅木３は、その外面に磁性粉が塗布又は蒸着された磁性幅木を含むことができる。
【００３９】
本発明による長尺足場板は、例えば、高張力鋼板を用いることにより、耐腐食性及び耐衝撃性を向上できる。又、図３を参照すると、実態として、長尺足場板２１ａ・２３ａは、幅木３に流用することができ、周縁を折り曲げ、及び内部にリブを設けることにより、「撓み」や「捩れ」に強い構造体とすることができる。
【００４０】
図２又は図３を参照すると、作業床２の床面には、小型の金属体は落下が困難であるが、雨水などを排水可能な複数の小孔２ｈを長手方向に連設することが好ましく、作業床２を滑り難い床面とすることができる。又、小孔２ｈに代えて、半球状の複数の突起を作業床２の床面に設けてもよく、いわゆる縞鋼板にしてもよく、作業床２を滑り難い床面とすることができる。
【００４１】
本発明による枠組足場は、小型の金属体を吸着が可能な磁性を有する長尺足場板で作業床２の床面を構成しているので、作業床２と幅木３の間隙から小物の金属体が容易に落下しないよう防護できる。
【００４２】
実施形態による枠組足場は、作業床２の床面と幅木３の間隙から小型の金属体が落下しないように構成しているので、作業現場での安全が確保され、又、小型の金属体を紛失しなくなるので、作業効率が改善される。
【００４３】
本発明による枠組足場は、実施形態による枠組足場に限定されない。実施形態による枠組足場は、単管足場などの他の足場にも適用できる。
【符号の説明】
【００４４】
２  作業床
２ａ  長尺足場板
３  幅木
１０  枠組足場
【図１】
2011184979.tif 000003
【図２】
2011184979.tif 000004
【図３】
2011184979.tif 000005